(57)【要約】【課題】  圧縮する対象となるデータの選択性を高めた「電子装置及びデータ記録方法」を提供する。【解決手段】  ハードディスク装置２９の残容量をシステムコントローラ１９の容量管理部３０で管理する。ハードディスク装置２９の残容量が予め設定された設定値を下回った場合に、システムコントローラ１９はハードディスク装置２９に既に記録済みのオーディオデータを選定し、選定したオーディオデータをハードディスクコントローラ２８を介してハードディスク装置２９から読み出す。読み出されたオーディオデータをエンコーダ２７に出力し、エンコーダ２７で圧縮オーディオデータを作成する。システムコントローラ１９は選定した圧縮前のオーディオデータをハードディスク装置２９から削除した上で、圧縮オーディオデータをハードディスク装置２９に書き込む。【選択図】        図１
2005174378.tif 000002
【特許請求の範囲】
【請求項１】
データを格納する記録部と、
前記データを圧縮して圧縮データを生成する圧縮部と、
前記記録部の利用可能な容量が所定条件を満足するかどうかを判定し、判定結果に応じて、前記記録部に記録されているデータを選定して前記圧縮部に出力し、前記記録部から前記選定したデータを消去した上で前記圧縮部により生成された圧縮データを前記記録部に格納させる制御部と、を有することを特徴とする電子装置。
【請求項２】
前記制御部は、前記記録部に入力データを書き込む際に前記記録部の利用可能な容量が所定条件を満足するかどうかを判定し、満足しないと判断したときに前記圧縮データを前記記録部に格納させるとともに、前記入力データを圧縮することなく前記記録部に格納させることを特徴とする請求項１記載の電子装置。
【請求項３】
前記制御部は、前記記録部に入力データを書き込む際に前記記録部の利用可能な容量が所定条件を満足するかどうかを判定し、満足すると判断したときに前記入力データを圧縮することなく前記記録部に格納させることを特徴とする請求項１又は２記載の電子装置。
【請求項４】
前記制御部は、所定の選定基準に従って、前記記録部からデータを選定することを特徴とする請求項１から３のいずれか一項記載の電子装置。
【請求項５】
前記制御部は、データの属性に基づく選定規則に従って、前記記録部からデータを選定することを特徴とする請求項１から３のいずれか一項記載の電子装置。
【請求項６】
前記制御部は、前記記録部に形成されているフォルダの属性に基づく選定規則に従って、前記記録部から少なくとも1つのフォルダを選定し、当該フォルダ内のデータの圧縮データを生成することを特徴とする請求項１から３のいずれか一項記載の電子装置。
【請求項７】
前記制御部は、前記記録部の選定可能なデータに関する情報を表示部に表示させることを特徴とする請求項１から６のいずれか一項記載の電子装置。
【請求項８】
前記制御部は、設定された圧縮率で前記選定されたデータを圧縮して前記圧縮データを生成することを特徴とする請求項１から７のいずれか一項記載の電子装置。
【請求項９】
前記制御部は、前記記録部の利用可能な容量が規定値以下になったかどうかを判定することを特徴とする請求項１から８のいずれか一項記載の電子装置。
【請求項１０】
前記制御部は、前記記録部の利用可能な容量を入力した入力データの容量と比較して、前記入力データを前記記録部に書き込み可能かどうかを判定することを特徴とする請求項１から８のいずれか一項記載の電子装置。
【請求項１１】
前記所定条件は、外部から設定可能であることを特徴とする請求項１から１０のいずれか一項記載の電子装置。
【請求項１２】
前記入力データはオーディオデータであることを特徴とする請求項１から１１のいずれか一項記載の電子装置。
【請求項１３】
前記電子装置は、通信媒体を介して外部から供給された前記入力データを受信する受信部を有することを特徴とする請求項１から１２のいずれか一項記載の電子装置。
【請求項１４】
データを格納した記録部の利用可能な容量が、所定条件を満足するかどうかを判定する判定工程と、
判定結果に応じて、前記記録部に記録されているデータを選定して圧縮し、圧縮データを生成する圧縮データ生成工程と、
前記選定されたデータを前記記録部から消去して、生成した前記圧縮データを前記記録部に記録させる圧縮データ記録工程と、
を有することを特徴とするデータ記録方法。
【請求項１５】
前記記録部に入力データを書き込む際に、前記判定工程により前記記録部の利用可能な容量が所定条件を満足するかどうかを判定し、前記判定工程により満足しないと判定されたときに前記圧縮データ記録工程により前記圧縮データを前記記録部に格納させるとともに、前記入力データを圧縮することなく前記記録部に格納させることを特徴とする請求項１３記載のデータ記録方法。
【請求項１６】
前記記録部に入力データを書き込む際に、前記判定工程により前記記録部の利用可能な容量が所定条件を満足するかどうかを判定し、前記判定工程により満足すると判定されたときに前記入力データを圧縮することなく前記記録部に格納させる入力データ記録工程を有することを特徴とする請求項１４又は１５記載のデータ記録方法。
【発明の詳細な説明】
【技術分野】
【０００１】
本発明は、データをＨＤＤ等の記録装置に記録する電子装置及びデータ記録方法に関し、特にＣＤやＭＤ（ミニディスク）等の記録媒体から読み取ったデータやインターネット等のネットワークから取得したデータを記録する車載オーディオ装置などの電子装置及びデータ記録方法に関する。
【背景技術】
【０００２】
従来、車内で音楽を楽しむためには、オーディオデータが書き込まれたＣＤ（コンパクトディスク）やＭＤ（ミニディスク）を車内に持ち込み、車に搭載された車載オーディオ装置でオーディオデータを再生していた。しかしながら、車載オーディオ装置では、例えばＣＤチェンジャのような装置にＣＤを挿入して再生を行うため、予め決められた枚数のＣＤしか再生することができず、他のＣＤを再生するためにはＣＤチェンジャにＣＤを入れ換える必要があった。そこで、大容量のハードディスク装置などを車載オーディオ装置に搭載し、このハードディスク装置にＣＤやＭＤから読み込んだオーディオデータを直接書き込むことができるようになれば、ユーザは音楽を聞くためにＣＤを交換するなどの手間を省くことができるようになる。
【０００３】
しかしながら、オーディオデータを圧縮して記録媒体に記録すると、このオーディオデータを再生したときに音質が損なわれるという不具合を生じる。
【０００４】
特許文献１では、音質を可能な限り損なうことなく記録媒体に音楽データを記録する方法の一例を提案している。音楽データを記録する複数の記録媒体の未記憶容量に応じて、予め定められた圧縮比の中から記憶を所望する時間分の記憶が可能な圧縮比のうちで最も低い圧縮比を選択して音楽データを圧縮し、圧縮した音楽データを複数の記録媒体に記録していく。
【０００５】
【特許文献１】特開２００２−２５１９０号公報
【発明の開示】
【発明が解決しようとする課題】
【０００６】
しかしながら特許文献１の提案では、記録媒体に書き込まれる音楽データだけが圧縮の対象となっており、すでに記録媒体に書き込まれている音楽データの圧縮については考慮されていない。使用者にとっては、記録媒体に書き込まれるデータではなく、既に記録媒体に書き込まれているデータを圧縮したほうが都合のよい場合もある。記録部の容量が大きくなってくると、記録部に記録できるデータ数も多くなってくる。このとき、新たに書き込むデータだけを圧縮の対象とするよりは既に記録部に多数書き込まれているデータを対象にした方が圧縮する対象を選択する幅が広がる。
【０００７】
本発明は上記事情に鑑みてなされたものであり、記録部の記録容量に応じてより質の高いデータを記録することができると共に、圧縮する対象となるデータの選択性を高めた電子装置及びデータ記録方法を提供することを目的とする。
【課題を解決するための手段】
【０００８】
かかる目的を達成するために本発明の電子装置は、データを格納する記録部と、前記データを圧縮して圧縮データを生成する圧縮部と、前記記録部の利用可能な容量が所定条件を満足するかどうかを判定し、判定結果に応じて、前記記録部に記録されているデータを選定して前記圧縮部に出力し、前記記録部から前記選定したデータを消去した上で前記圧縮部により生成された圧縮データを前記記録部に格納させる制御部と、を有することを特徴としている。
【０００９】
記録部の利用可能な容量が所定条件を満足するかどうかを判定し、判定結果に応じて圧縮するデータを記録部に記録されているデータの中から選定している。従って、記録部の利用可能な容量に応じて圧縮するデータを選定しているため、記録部に記録される他のデータの質を維持することができる。また選定したデータは記録部から削除した上で、選定したデータを圧縮した圧縮データを記録部に書き込んでいるため、例えば新たに入力するデータを記録部に圧縮することなく書き込むことが可能となる。また、記録部に既に記録されているデータを圧縮しているため、例えば新たに書き込まれるデータだけを圧縮対象とした場合と比較して、圧縮する対象となるデータの選択の幅を広げることができる。
【００１０】
また上記構成の電子装置において、前記制御部は、前記記録部に入力データを書き込む際に前記記録部の利用可能な容量が所定条件を満足するかどうかを判定し、満足しないと判断したときに前記圧縮データを前記記録部に格納させるとともに、前記入力データを圧縮することなく前記記録部に格納させるとよい。
【００１１】
利用可能な容量が所定条件を満足しないと判断したときに、記録部に記録されているデータを選定して圧縮し、圧縮していないデータを削除した上で圧縮データを格納しているため、入力データを圧縮することなく記録部に格納することができる。
【００１２】
また上記電子装置において、前記制御部は、前記記録部に入力データを書き込む際に前記記録部の利用可能な容量が所定条件を満足するかどうかを判定し、満足すると判断したときに前記入力データを圧縮することなく前記記録部に格納させるとよい。
【００１３】
利用可能な容量が所定条件を満足していると判断したときに、入力データを圧縮することなく記録部に格納しているため、入力データの質を損なうことなく記録部に格納することができる。
【００１４】
また上記構成の電子装置においては、前記制御部は、所定の選定基準に従って、前記記録部からデータを選定するとよい。
【００１５】
圧縮する対象となるデータを所定の選定基準で選定しているため、入力するデータを記録部に圧縮することなく書き込むことが可能となる。
【００１６】
また上記構成の電子装置においては、前記制御部は、データの属性に基づく選定規則に従って、前記記録部からデータを選定するとよい。
【００１７】
圧縮する対象となるデータを、データの属性に基づく選定規則に従って選定することにより、所定の属性を有するデータを圧縮対象のデータに選定することが可能となる。
【００１８】
また上記構成の電子装置においては、前記制御部は、前記記録部に形成されているフォルダの属性に基づく選定規則に従って、前記記録部から少なくとも1つのフォルダを選定し、当該フォルダ内のデータの圧縮データを生成するとよい。
【００１９】
フォルダの属性に基づいて前記記録部から少なくとも1つのフォルダを選定し、このフォルダ内のデータの圧縮データを生成している。従って、フォルダの属性を指定することで、この指定された属性のフォルダを選択して圧縮対象に選定することができる。
【００２０】
また上記構成の電子装置においては、前記制御部は、前記記録部の選定可能なデータに関する情報を表示部に表示させるとよい。
【００２１】
記録部の選定可能なデータに関する情報を表示部に表示させるため、使用者は、表示されたデータに関する情報を見ながら圧縮対象とするデータを選択することができる。
【００２２】
また上記構成の電子装置においては、前記制御部は、設定された圧縮率で前記選定されたデータを圧縮して前記圧縮データを生成するとよい。
【００２３】
設定された圧縮率で前記選定されたデータを圧縮するため、データの圧縮率を変更することができる。
【００２４】
また上記構成の電子装置においては、前記制御部は、前記記録部の利用可能な容量が規定値以下になったかどうかを判定するとよい。
【００２５】
記録部の利用可能な容量が規定値以下になったかどうかを判定して、記録部に記録されたデータを圧縮するか否かを判断することにより、記録部の利用可能な容量が規定値以下になるまでは記録部に圧縮することなくデータを記録する。従って、記録部の利用可能な容量が規定値以下になるまでは圧縮していないデータを記録部に記録することができ、記録しているデータの質を維持することができる。
【００２６】
また上記構成の電子装置においては、前記制御部は、前記記録部の利用可能な容量を入力した入力データの容量と比較して、前記入力データを前記記録部に書き込み可能かどうかを判定するとよい。
【００２７】
記録部の利用可能な容量と入力した入力データの容量と比較して、入力データを記録部に書き込み可能かどうかを判定する。従って、書き込み可能な場合には入力データを圧縮せずに記録部に記録するためデータの質を低下させることがない。また、書き込み不可能な場合には記録部からデータを選定して圧縮し、選定した未圧縮のデータを記録部から削除して圧縮したデータを記録部に記録するため、入力データを圧縮せずに記録部に記録することができる。
【００２８】
また上記構成の電子装置においては、前記所定条件は、外部から設定可能であるとよい。
【００２９】
所定条件を外部から設定可能であるため、使用者の所望の設定を電子装置に設定することが可能となる。
【００３０】
また上記構成の電子装置においては、前記入力データはオーディオデータであるとよい。
【００３１】
入力データがオーディオデータであることにより、所定条件を満たさない場合には、オーディオデータを圧縮せずにそのまま記録部に格納することができる。従って、オーディオデータの音質を低下させることがない。また、所定条件を満たす場合には記録部に格納済みのデータを圧縮することで、入力データを記録部に格納することができる。
【００３２】
また上記構成の電子装置においては、前記電子装置は、通信媒体を介して外部から供給された前記入力データを受信する受信部を有するとよい。
【００３３】
通信媒体を介して外部から供給された入力データを受信する受信部を有することにより、通信媒体を介して外部から供給されたデータを受信して記録部に記録させることができる。
【００３４】
本発明のデータ記録方法は、データを格納した記録部の利用可能な容量が、所定条件を満足するかどうかを判定する判定工程と、判定結果に応じて、前記記録部に記録されているデータを選定して圧縮し、圧縮データを生成する圧縮データ生成工程と、前記選定されたデータを前記記録部から消去して、生成した前記圧縮データを前記記録部に記録させる圧縮データ記録工程と、を有することを特徴としている。
【００３５】
記録部の利用可能な容量が所定条件を満足するかどうかを判定し、判定結果に応じて圧縮するデータを記録部に記録されているデータの中から選定している。従って、記録部の利用可能な容量に応じて圧縮するデータを選定しているため、記録部に記録される他のデータの質を維持することができる。また選定したデータは記録部から削除した上で、選定したデータを圧縮した圧縮データを記録部に書き込んでいるため、例えば新たに入力するデータを記録部に圧縮することなく書き込むことが可能となる。また、記録部に既に記録されているデータを圧縮しているため、例えば新たに書き込まれるデータだけを圧縮対象とした場合と比較して、圧縮する対象となるデータの選択の幅を広げることができる。
【００３６】
また上記データ記録方法においては、前記記録部に入力データを書き込む際に、前記判定工程により前記記録部の利用可能な容量が所定条件を満足するかどうかを判定し、前記判定工程により満足しないと判定されたときに前記圧縮データ記録工程により前記圧縮データを前記記録部に格納させるとともに、前記入力データを圧縮することなく前記記録部に格納させるとよい。
【００３７】
利用可能な容量が所定条件を満足しないと判断したときに、記録部に記録されているデータを選定して圧縮し、圧縮していないデータを削除した上で圧縮データを格納しているため、入力データを圧縮することなく記録部に格納することができる。
【００３８】
また上記データ記録方法において、前記記録部に入力データを書き込む際に、前記判定工程により前記記録部の利用可能な容量が所定条件を満足するかどうかを判定し、前記判定工程により満足すると判定されたときに前記入力データを圧縮することなく前記記録部に格納させる入力データ記録工程を有するとよい。
【００３９】
利用可能な容量が所定条件を満足していると判断したときに、入力データを圧縮することなく記録部に格納しているため、入力データの質を損なうことなく記録部に格納することができる。
【発明の効果】
【００４０】
本発明は、記録部の利用可能な容量が所定条件を満足するかどうかを判定し、判定結果に応じて記録部に記録されているデータを選定して、このデータを圧縮するようにしたため、記録部に記録されるデータの質を記録部の容量に応じて維持するととも、記録部に既に記録済みのデータから圧縮するデータを選択するようにしたため、圧縮する対象となるデータの選択の幅を広げることができる。
【発明を実施するための最良の形態】
【００４１】
次に、添付図面を参照しながら本発明の最良の実施例を説明する。
【実施例１】
【００４２】
図１には本発明の電子装置をディスク再生装置１に適用した実施例の構成が示されている。同図に示す本実施例のディスク再生装置１は、コンパクトディスク１０に記録された信号を読み取るためのスピンドルモータ１１、光ピックアップ１２、送りモータ１３およびサーボ回路１４と、読み取った信号に対して所定の処理を行った後、オーディオ等の各種データを再生するためのＲＦアンプ１８、デジタル信号処理回路２０、ショックプルーフメモリ２２、ショックプルーフメモリコントローラ２１、デジタルフィルタ２３、Ｄ／Ａ変換器２４、オーディオアンプ２５、スピーカ２６と、ディスク再生装置１全体を制御するシステムコントローラ１９と、利用者が各種の指示を入力する操作部１６と、演奏中のオーディオデータの情報などを表示する表示部１７と、利用者によってコンパクトディスク１０が装てんされたことを検出するディスク装てん検出部１５と、システムコントローラ１９のワークエリアとしてのメモリ部３１と、オーディオデータの圧縮を行うエンコーダ２７と、ハードディスク装置２９（ＨＤＤとも表記する）へのデータの書き込みおよび読み出しを行うハードディスクコントローラ２８とを含んで構成される。
【００４３】
スピンドルモータ１１は、コンパクトディスク１０を一定の線速度で回転させる。光ピックアップ１２は、スピンドルモータ１１によってコンパクトディスク１０を回転させながら記録信号を検出するものであり、不図示の半導体レーザ、フォトダイオードおよびフォーカスレンズを含んで構成される。また、この光ピックアップ１２には、フォーカスレンズをコンパクトディスクの記録面に対してほぼ垂直方向に移動させる不図示のフォーカスアクチュエータと、フォーカスレンズをコンパクトディスクの径方向に移動させる不図示のトラックアクチュエータも含まれている。送りモータ１３は、光ピックアップ１２の全体をコンパクトディスク１０の径方向に移動させるものである。コンパクトディスク１０を装てんした際に生じる芯振れ等に対しては光ピックアップ１２内のトラックアクチュエータによってフォーカスレンズを移動させることにより記録信号の読み取り位置の調整が行われ、トラックが進行した際の記録信号の読み取り位置の径方向の移動は送りモータ１３によって光ピックアップ１２を移動させることにより行われる。
【００４４】
サーボ回路１４は、上述したスピンドルモータ１１および送りモータ１３を駆動すると共に、光ピックアップ１２内に内蔵されたフォーカスアクチュエータとトラックアクチュエータを駆動しており、コンパクトディスク１０からの記録信号の読み取りに必要な各種のサーボ（フォーカスサーボ、トラッキングサーボ、回転サーボ）制御を行う。
【００４５】
ＲＦアンプ１８は、光ピックアップ１２の出力からＲＦ信号、フォーカスエラー信号およびトラッキングエラー信号を生成する。
【００４６】
デジタル信号処理回路２０は、コンパクトディスク１０から読み出されたＲＦ信号からオーディオデータを復調するデジタル信号プロセッサである。
【００４７】
エンコーダ２７は、デジタル信号処理回路２０から出力されたオーディオデータ、またはハードディスクコントローラ２８によってハードディスク装置２９から読み出されたオーディオデータを圧縮する。圧縮率や圧縮方式の設定はシステムコントローラ１９により設定される。エンコーダ２７は、例えば、オーディオデータを１／２（データ圧縮率５０パーセント）、１／４（データ圧縮率７５パーセント）又は１／８（データ圧縮率８７．５パーセント）に圧縮して圧縮オーディオデータにする。また、エンコーダ２７は、システムコントローラ１９の設定により、デジタル信号処理回路２０から入力したオーディオデータを圧縮せずにそのまま出力することも可能である。エンコーダ２７により圧縮されたオーディオデータはハードディスクコントローラ２８によりハードディスク装置２９に書き込まれる。
【００４８】
ハードディスクコントローラ２８は、システムコントローラ１９の制御に従って、ハードディスク装置２９へのオーディオデータの書き込みおよび読み出しを行う。
【００４９】
システムコントローラ１９は、サーボ回路１４に対して各種のサーボ指令を出力したり、音楽再生に必要な各種の制御およびパソコン等に出力するデータの再生に必要な各種の制御を行う。また、システムコントローラ１９には、ハードディスク装置２９の残容量を管理する容量管理部３０が備えられている。システムコントローラ１９は、容量管理部３０の管理する残容量に応じて、ハードディスク装置２９に格納されたオーディオデータの中から圧縮するオーディオデータを選定する。また、システムコントローラ１９は、ハードディスクコントローラ２８を制御することで、ハードディスク装置２９からのオーディオデータの読み出し及び書き込みを行う。また、システムコントローラ１９はエンコーダ２７に対して圧縮率を設定する。システムコントローラ１９はハードディスクコントローラ２８を介して読み出したオーディオデータをエンコーダ２７に出力し、エンコーダ２７で圧縮オーディオデータを生成する。
【００５０】
また、システムコントローラ１９は、ハードディスク装置２９内に記録した曲情報を管理するための登録曲管理テーブルをメモリ部３１に作成する。この登録曲管理テーブルは、ハードディスク装置２９内のオーディオデータを管理するため、図２に示されるようにインデックス情報と、オーディオデータを記録したフォルダ名、サブフォルダ名、ファイル名と、ハードディスク装置２９上のファイルの先頭位置情報と、ファイルのサイズ情報（データ量）と、アーティスト情報と、オーディオデータを記録した日付を管理するタイムスタンプ情報と、このオーディオデータを再生した回数情報である再生回数実績情報と、課金による取得であるか否かを示す課金状況データとを属性情報として記録している。
【００５１】
ハードディスク装置２９のオーディオデータ記録構造を図３に示す。図３に示すようにフォルダ内にサブフォルダが設けられ、このサブフォルダ内のファイルに各オーディオデータが記録される。
【００５２】
ショックプルーフメモリ２２は、デジタル信号処理回路２０から出力されるデータがオーディオデータである場合に、これを一時記憶するためのものであり、一般的にはＤＲＡＭが用いられる。ショックプルーフメモリコントローラ２１は、ショックプルーフメモリ２２に対するオーディオデータの読み書きを制御するものであり、デジタル信号処理回路２０から出力されるオーディオデータをショックプルーフメモリ２２に対して書き込む動作と、この書き込まれたオーディオデータを一定速度で読み出す動作を並行して行っている。デジタルフィルタ２３は、ショックプルーフメモリコントローラ２１の制御によってショックプルーフメモリ２２から読み出されたオーディオデータに対してオーバーサンプリングを行って、信号外帯域の周波数成分を減少させる。Ｄ／Ａ変換回路２４は、デジタルフィルタ２３を介して入力されるオーディオデータをアナログ信号に変換して音楽の再生を行う。再生されたアナログ信号は、オーディオアンプ２５を介してスピーカ２６から出力される。
【００５３】
操作部１６は、利用者が各種の操作指示を行うためのものであり、圧縮を行うオーディオデータの設定や圧縮率の設定などを入力する。表示部１７は、システムコントローラ１９の制御により、ハードディスク装置２９に記録されているオーディオデータに関する情報（曲名、アーティスト情報など）を表示させたり、システムコントローラ１９により選定されたオーディオデータを表示して、ユーザに圧縮するデータの確認を行う。
【００５４】
本実施例は、システムコントローラ１９の容量管理部３０によりハードディスク装置２９の利用可能な容量（以下、残容量という）を管理して、ハードディスク装置の残容量が予め定められた設定値以下になるまでは、読み込んだオーディオデータを圧縮せずにそのままハードディスク装置２９に記録していく。以下、この処理を第１の記録処理と呼ぶ。システムコントローラ１９は、容量管理部３０で管理するハードディスク装置２９の残容量が予め設定された設定値以上である場合には、エンコーダ２７に圧縮率０パーセントを設定する。エンコーダ２７はデジタル信号処理回路２０から出力されるオーディオデータを処理せずに、そのままハードディスクコントローラ２８に出力する。ハードディスクコントローラ２８はシステムコントローラ１９の制御により、圧縮していないオーディオデータをハードディスク装置２９に書き込む。オーディオデータを圧縮せずに記録していくため、音質を損なわずにオーディオデータを再生することが可能となる。
【００５５】
また、ハードディスク装置２９の残容量が所定値よりも少なくなると、ハードディスク装置２９に記録されたオーディオデータを選択して圧縮し、圧縮オーディオデータを作成する。そして選択された圧縮していないオーディオデータをハードディスク装置２９から削除した上で圧縮オーディオデータをハードディスク装置２９に書き込む。以下、この処理を第２の記録処理と呼ぶ。この第２の記録処理で圧縮する対象となるオーディオデータは、既にハードディスク装置２９に書き込まれているオーディオデータの中から選択される。なお、以下では、ハードディスク装置２９に既に記録されたオーディオデータを圧縮対象として説明を行うが、これから記録するオーディオデータと既にハードディスク装置２９に記録されているオーディオデータの両方を圧縮するものであってもよいし、新たに記録するオーディオデータだけを圧縮するものであってもよい。
【００５６】
システムコントローラ１９は、容量管理部３０によりハードディスク装置２９の残容量が予め設定された設定値以下となったことを検知すると、ハードディスク装置２９に記録されたオーディオデータを選定し、選定したオーディオデータをハードディスクコントローラ２８を介してハードディスク装置２９から読み出す。読み出されたオーディオデータはシステムコントローラ２８の制御によりエンコーダ２７に出力される。また、システムコントローラ１９はエンコーダ２７に対してオーディオデータを圧縮する圧縮率（または圧縮方式）の指示を通知する。なお、圧縮率を指定するのではなく、圧縮方式を指定するものであってもよい。例えばＭＰ３（ＭＰＥＧ−１  Ａｕｄｉｏ  Ｌａｙｅｒ３）、ＴＷｉｎＶＱ（Ｔｒａｎｓｆｏｒｍ  Ｄｏｍａｉｎ  Ｗｅｉｇｈｔｅｄ  ｉｎｔｅｒｌｅａｖｅ  Ｖｅｃｔｏｒ  Ｑｕａｎｔｉｚａｔｉｏｎ）やＡＡＣ（Ａｄｖａｎｃｅｄ  Ａｕｄｉｏ  Ｃｏｄｉｎｇ）などが挙げられる。エンコーダ２７はシステムコントローラ１９から通知された圧縮率でオーディオデータを圧縮し、圧縮オーディオデータをハードディスクコントローラ２８に出力する。システムコントローラ１９は、選定したオーディオデータをハードディスクドライブ２９から消去した上で、エンコーダ２７により圧縮された圧縮オーディオデータをハードディスクコントローラ２８を制御してハードディスク装置２９に記録する。
【００５７】
圧縮するオーディオデータを選択する基準や圧縮方式の選択は、各ユーザによって自由に選択できる。システムコントローラ１９は、初期設定時に、オーディオデータの圧縮を始めるハードディスク装置２９の残容量の設定値、圧縮対象となるオーディオデータを選択する選択基準の設定、オーディオデータを圧縮する圧縮率の設定、新規登録に使用できるハードディスク装置２９の容量の設定などをユーザに入力させ、これをメモリ部３１に作成した圧縮処理管理テーブル（図４（Ａ）参照）に登録している。
【００５８】
ハードディスク装置２９の残容量の設定値は、未圧縮のオーディオデータをハードディスク装置２９にそのまま記録していく第１の記録処理から、ハードディスク装置２９に記録済みのオーディオデータを圧縮してハードディスク装置２９の使用量を低減させる第２の記録処理に切り換える際の判定値となる。この残容量の設定値はユーザの好みに応じて自由に設定することができる。例えば、音質を落としてもハードディスク装置２９に多数のオーディオデータを記録したいユーザは、残容量の設定値を高く設定することで最初から圧縮したオーディオデータを保存することができる。逆に、音質を低下させたくないユーザは、残容量の設定値を低く、例えば１枚のＣＤに記録されたオーディオデータが記録可能な程度の容量に設定することで、未圧縮の状態でオーディオデータが保存されることになる。
【００５９】
また、圧縮対象となるオーディオデータを選択する選択基準の設定は、既にハードディスク装置２９に記録しているオーディオデータの中から、圧縮するオーディオデータをどのような基準で選択するのかを設定したものである。図２に示す登録曲管理テーブルで管理しているアーティスト名、データ量、作成示のタイムスタンプ、再生回数の実績、課金状態などが選択基準として挙げられる。これらのうちの１つだけを選択基準として設定してもよいし、図４（Ａ）に示されるように複数の選択基準に優先順位を付けて設定してもよい。例えば、選択されたアーティストのデータを記録したフォルダやファイルを圧縮対象に選定する、再生回数実績が低いものから圧縮対象に選定する、データ量の多いオーディオデータから圧縮対象の選定する、作成時のタイムスタンプが最も古いものから圧縮対象に選定する、課金してダウンロードしたオーディオデータは圧縮対象にはしない、などである。
【００６０】
また、オーディオデータを圧縮する圧縮率の設定は、複数の圧縮率でオーディオデータを圧縮可能である場合に、ユーザが選択した圧縮率を記録したものである。
【００６１】
また、新規登録に使用できるハードディスク装置２９の容量の設定値は、所定量のオーディオデータの記録に使用することができるハードディスク装置の容量を設定したものである。この容量を設定することで圧縮する曲数が決定される。すなわち、新たに記録するオーディオデータのデータ量からこの設定値を減算した分の容量を、すでに記録済みのオーディオデータを圧縮することで作り出す。圧縮率によって、作られる容量も異なるため高圧縮率に設定しておくと、圧縮する曲数を少なくすることができる。逆に低圧縮率に設定しておくと、圧縮する曲数が増えることになる。
【００６２】
なお、圧縮対象となるオーディオデータを選択する選択基準の設定は、図４（Ａ）に示されるように選択基準だけを登録しておき、システムコントローラ１９がこの選択基準で自動的に選択するものであってもよいし、図４（Ｂ）に示されるようにユーザが指定したアーティスト、オーディオデータをそのまま優先順位を付けて記録しておくものであってもよい。新たなオーディオデータを圧縮する際には、図４（Ｂ）に示すテーブルを参照して指定された順にオーディオデータを圧縮していく。
【００６３】
このように本実施例はハードディスク装置２９の残容量と予め設定された設定値とを比較し、ハードディスク装置２９の残容量が設定値よりも上回っている場合には、入力されたオーディオデータを圧縮せずにそのまま記録する。従って、オーディオデータの音質を損なうことがない。また、ハードディスク装置２９の残容量が設定値を下回った場合には、ハードディスク装置２９に既に記録済みのオーディオデータの中からデータを選定して圧縮オーディオデータを生成し、選定したデータをハードディスク装置２９から削除した上で圧縮オーディオデータをハードディスク装置２９に記録する。選定したデータをハードディスク装置２９から削除した上で、選定したデータを圧縮したデータをハードディスク装置２９に書き込んでいるため、新たに入力するデータをハードディスク装置２９に圧縮することなく書き込むことが可能となる。また、ハードディスク装置２９に既に記録されているデータを圧縮しているため、例えば新たに書き込まれるデータだけを圧縮対象とする場合と比較して、圧縮する対象となるデータの選択の幅を広げることができる。
【００６４】
また、新規登録に使用可能なハードディスク装置２９の容量などをメモリ部３１に登録しておき、ハードディスク装置２９に新たなオーディオデータを書き込む際に、この容量を超えないように圧縮するデータを記録済みのデータの中から選定している。従って、ハードディスク装置２９の利用可能な容量に応じて圧縮するデータを選定することができ、ハードディスク装置２９に記録される他のオーディオデータの音質を維持することができる。
【００６５】
図５に示されたフローチャートを参照しながらハードディスク装置２９へのオーディオデータの書き込み手順を説明する。まず、システムコントローラ１９は、ユーザからの操作入力を検出するとハードディスク装置２９に既に記録済みのオーディオデータの整理であるか否かを確認するメッセージを表示部１７に表示して、ユーザからの確認入力を待つ。既存のオーディオデータの整理ではないとの入力が操作部１６から入力されると（ステップＳ１／ＮＯ）、次に新しいオーディオデータのハードディスク装置２９への記録であるか否かを確認するメッセージを表示部１７に表示して、ユーザからの確認入力を待つ。新しいオーディオデータの記録ではないとの操作入力が入力されると（ステップＳ２／ＮＯ）、この処理を終了する。
【００６６】
また、新しいオーディオデータの記録であるとの操作入力がなされると（ステップＳ２／ＹＥＳ）、システムコントローラ１９はハードディスク装置２９の残容量が充分であるか否かを確認する（ステップＳ３）。システムコントローラ１９の容量管理部３０では、ハードディスク装置２９の残容量を管理している。システムコントローラ１９は、容量管理部３０により管理しているハードディスク装置２９の残容量が予め設定された設定値を下回っているか否かを確認する（ステップＳ３）。メモリ部３１から取得した設定値よりも実際のハードディスク装置２９の残容量が上回っていた場合には（ステップＳ３／ＹＥＳ）、要求のあったオーディオデータをそのままハードディスク装置２９に記録する第１の記録処理を実行する（ステップＳ３）。システムコントローラ１９は、容量管理部３０によりハードディスク装置２９の残容量を監視し、この残容量が予め設定された設定値以下になるまではエンコーダ２７に圧縮率０パーセントを設定する。エンコーダ２７はデジタル信号処理回路２０から出力されるオーディオデータを圧縮処理せず、そのままハードディスクコントローラ２８に出力する。システムコントローラ１９はハードディスクコントローラ２８を介して、圧縮していないオーディオデータをハードディスク装置２９に記録する。
【００６７】
また、メモリ部３１から取得した設定値よりも実際のハードディスク装置２９の残容量が下回っていた場合には（ステップＳ３／ＮＯ）、システムコントローラ１９は圧縮するオーディオデータを選定し（ステップＳ５）、選定したオーディオデータをハードディスクコントローラ２８を介してハードディスク装置２９から読み出す。圧縮する対象となるオーディオデータは、ハードディスク装置２９に未圧縮で記録されているオーディオデータである。また、オーディオデータを圧縮する圧縮率については予めユーザにより選択され、図２に示す圧縮処理管理テーブルに登録されている。新たなオーディオデータの記録に使用するハードディスク装置２９の容量が、予め設定された容量となるようにオーディオデータが選択される。
【００６８】
システムコントローラ１９はハードディスクコントローラ２８を介して選定したオーディオデータをハードディスク装置２９から読み出し、エンコーダ２７に出力する。エンコーダ２７はハードディスクコントローラ２８から出力されたオーディオデータを圧縮処理して圧縮オーディオデータを作成する。圧縮オーディオデータはハードディスクコントローラ２８に出力される。システムコントローラ１９は、作成された圧縮オーディオデータをハードディスクコントローラ２８を介してハードディスク装置２９に記録する（ステップＳ６）。また、システムコントローラ１９は、選定した圧縮前のオーディオデータをハードディスク装置２９から削除する（ステップＳ７）。圧縮オーディオデータのハードディスク装置２９への記録が終了すると、新たに記録するオーディオデータがある場合には、このオーディオデータがハードディスク装置２９に記録される。
【００６９】
次に、図６に示されたフローチャートを参照しながら圧縮データの選定手順について説明する。
システムコントローラ１９は、ハードディスク装置２９に記録されているオーディオデータを圧縮する処理を行う際に、圧縮対象となるオーディオデータを手動で設定するのか、予め設定された選択基準に従って自動で選択するのかを確認するメッセージを表示部１７に表示させる（ステップＳ１０）。自動で選択するが操作部１６より選択されると（ステップＳ１０／ＮＯ）、選択基準が予めメモリ部３１に登録されているか否かを確認する（ステップＳ１１）。選択基準がメモリ部３１に登録されている場合には（ステップＳ１１／ＹＥＳ）、この選択基準を用いて圧縮処理を行うオーディオデータを選定し、表示部１７に表示させる（ステップＳ１３）。また、選択基準がメモリ部３１に登録されていない場合には（ステップＳ１１／ＮＯ）、例えば図７（Ｂ）に示す表示例を表示部１７に表示し、圧縮データを選択する選択基準をユーザに選択させる（ステップＳ１２）。ユーザにより選択された選択基準により圧縮処理を行うオーディオデータを選択し表示部１７に表示させる（ステップＳ１３）。例えば、選択基準としてアーティストが設定され、対象となるアーティスト名が登録されていた場合には、選択されたアーティストのデータを記録したフォルダやファイルが圧縮対象に選ばれる。また、タイムスタンプが選択基準に選ばれていた場合には、記録した時間が古い順にオーディオデータが圧縮対象に選ばれる。
【００７０】
表示部１７に表示した圧縮対象のオーディオデータに対して、操作部１７からユーザの確認入力がなされると（ステップＳ１４／ＹＥＳ）、このオーディオデータに対して圧縮処理を施す。また、ユーザからの確認入力がなかった場合には（ステップＳ１４／ＮＯ）、選択基準で次の圧縮対象のオーディオデータを選択し表示部１７に表示させる（ステップＳ１３）。
【００７１】
また、ステップＳ１０で、圧縮対象のデータを手動で選択するとの入力がなされると（ステップＳ１０／ＹＥＳ）、ハードディスク装置２９に未圧縮の状態で記録しているオーディオデータの一覧を表示部１７に表示させ（ステップＳ１５）、ユーザからの選択入力を待つ（ステップＳ１６）。ユーザから圧縮対象とするオーディオデータの選択入力が入力されると（ステップＳ１６／ＹＥＳ）、選択されたオーディオデータを圧縮処理する。
【００７２】
このようにして本実施例は、ユーザの所望する選択基準で圧縮するデータを選択することができ、また選択されたデータを圧縮するか否かを操作者が判断することができる。
【実施例２】
【００７３】
本実施例は、オーディオデータ配信センタ１２０の保有するオーディオデータを車に搭載された車載オーディオ装置１００にダウンロードしてハードディスク装置２９に格納する実施例である。図８には、複数のオーディオデータを保有するオーディオデータ配信センタ１２０と、このオーディオデータ配信センタ１２０とデータ通信を行いオーディオデータを取得する車載オーディオ装置１００との構成が示されている。まず、オーディオデータをユーザからのリクエストによってダウンロードするオーディオデータ配信センタ１２０の構成について説明する。
【００７４】
オーディオデータ配信センタ１２０のオーディオデータデータベース（以下、オーディオデータＤＢと表記する）１２３には、クラシック、ポップス、演歌、ジャズなど各種ジャンルの多数のオーディオデータが登録され、曲毎に曲名、歌手名、演奏に関する情報等のデータを保有している。
【００７５】
車載オーディオ装置１００からオーディオデータのリクエストを受信した時には、データ検索処理部１２２がオーディオデータＤＢ１２３にアクセスして、リクエストを受けたオーディオデータをデータ配信部１２４に出力し、送信部１２５からリクエストを出したユーザに送信する。
【００７６】
車載オーディオ装置１００には、リクエスト選択部１０２、送信部１０３、受信部１０４、受信状況検出部１０５、データ入力、伸長部１０６などからなるダウンロード機能部１０１と、操作部１６と、表示部１７と、オーディオデータ再生部１０７と、スピーカ１０８と、上述した実施例１と同様に、電子装置を構成するシステムコントローラ１９、エンコーダ２７、ハードディスクコントローラ２８、ハードディスク装置２９、メモリ部３１とが備えられている。
【００７７】
オーディオ再生部１０７は、車載オーディオ装置１００に従来から用いられているオーディオデータ再生装置であり、ここで再生されたオーディオデータはスピーカ１０８からユーザに出力される。
【００７８】
表示部１７は、オーディオデータ配信センタ１２０からダウンロードされたオーディオデータやオーディオ再生部１０７によって再生されているオーディオデータの曲名、演奏者、歌手名等の各種データを表示したり、受信状況検出部１０５によって検出されるオーディオデータのダウンロード状況を表示したりする。さらに、リクエスト選択部１０２からのリクエストの選択を行った曲の表示、リクエストを行う曲の確認の表示等を行う。
【００７９】
操作部１６は、リモコン、表示部１７のタッチパネル、キーボード等からなり、選曲のための操作や選曲用データを要求するための各種操作を行う。
【００８０】
リクエスト選択部１０２は、操作部１６からユーザが選択した曲の選曲情報が入力されると、この選曲情報を送信部１０３を介してオーディオデータ配信センタ１２０に送信する。
【００８１】
データ入力、伸長部１０６は、受信部１０４が受信したオーディオデータを入力し、ＭＰ３などの圧縮方式で圧縮されたオーディオデータを伸長する。伸長されたオーディオデータはオーディオ再生部１０７に出力され、スピーカ１０８からリアルタイムで再生を行う。また、表示部１７に演奏中の曲の曲名、演奏者、歌手名などの各種データを表示させる。さらに、システムコントローラ１９にもオーディオデータを出力し、ハードディスクコントローラ２８の制御によりオーディオデータをハードディスク装置２９に記録する。
【００８２】
システムコントローラ１９は、車載オーディオ装置１００全体を制御すると共に、ハードディスク装置２９へのオーディオデータの書き込み、及びハードディスク装置２９からのオーディオデータの読み出しを制御する。読み出したオーディオデータはオーディオ再生部１０７に出力され、スピーカ１０８から出力される。
【００８３】
本実施例においてもシステムコントローラ１９に設けられた容量管理部３０によりハードディスク装置２９の残容量を管理している。オーディオデータ配信センタ１２０からダウンロードされ、データ入力、伸長部１０６で伸長されたオーディオデータは、システムコントローラ１９に入力される。システムコントローラ１９は、オーディオデータのハードディスク装置２９への格納要求を受けると、容量管理部３０によりハードディスク装置２９の残容量を検出する。ハードディスク装置２９の残容量と予め設定された設定値とを比較し、ハードディスク装置２９の残容量が設定値よりも上回っている場合には、入力されたオーディオデータを圧縮せずにそのまま記録する。従って、オーディオデータの音質を損なうことがない。また、ハードディスク装置２９の残容量が予め設定された設定値を下回った場合には、ハードディスク装置２９に既に記録済みのオーディオデータの中からデータを選定して圧縮オーディオデータを生成し、選定したデータをハードディスク装置２９から削除した上で圧縮オーディオデータをハードディスク装置２９に記録する。これによりハードディスク装置２９の記憶容量を確保して新たなオーディオデータを記録することができる。また、新たに記録するオーディオデータではなく、既にハードディスク装置２９に記録されているオーディオデータの中から圧縮するオーディオデータを選択するため、新たに書き込まれるデータだけを圧縮対象とする場合と比較して、圧縮する対象となるデータの選択の幅を広げることができる。
【００８４】
なお、上述した実施例は本発明の好適な実施例である。但しこれに限定されるものではなく、本発明の要旨を逸脱しない範囲内において種々変形実施可能である。例えば、上述した実施例では、ＣＤやＭＤなどの記録媒体に記録されたオーディオデータを読み取ってハードディスク装置２９に記録する実施例、オーディオデータ配信センタ１２０から配信されるオーディオデータをハードディスク装置２９に記録する実施例を示したが、ディジタル放送のデータを受信して記録するものであってもよい。さらに、本実施例ではオーディオデータを例に説明しているが、オーディオデータだけに限らず、映像や写真のデータであってもよい。
【図面の簡単な説明】
【００８５】
【図１】ディスク再生装置１の構成を示す図である。
【図２】登録曲管理テーブルの構成を示す図である。
【図３】ハードディスク装置１０に記録されるデータの構成を示す図である。
【図４】（Ａ）は圧縮処理管理テーブルの構成を示す図であり、（Ｂ）はユーザにより選択された圧縮対象に優先順位を付けて記録した例を示す図である。
【図５】新しい音楽データの記録、または既存の音楽データを整理する時の手順を示すフローチャートである。
【図６】圧縮対象となる音楽データを選択する手順を示すフローチャートである。
【図７】表示部１３に表示される表示の一例を示す図である。
【図８】車載オーディオ装置１とこの車載オーディオ装置１に音楽データを配信する音楽データ配信センタ２０との構成を示す図である。
【符号の説明】
【００８６】
１  ディスク再生装置              １０  コンパクトディスク
１１  スピンドルモータ            １２  光ピックアップ
１３  送りモータ                  １４  サーボ回路
１５  ディスク装てん検出部        １６  操作部
１７  表示部                      １８  ＲＦアンプ
１９  システムコントローラ        ２０  デジタル信号処理回路
２１  ショックプルーフメモリコントローラ
２２  ショックプルーフメモリ      ２３  デジタルフィルタ
２４  Ｄ／Ａ変換回路              ２５  オーディオアンプ
２６  スピーカ                    ２７  エンコーダ
２８  ハードディスクコントローラ  ２９  ハードディスク
３０  容量管理部                  ３１  メモリ部
１００  車載オーディオ装置        １０１  ダウンロード機能部
１０２  リクエスト選択部          １０３、１２５  送信部
１０４、１２１  受信部            １０５  受信状況検出部
１０６  データ入力、伸長部        １０７  オーディオ再生部
１０８  スピーカ
１２０  オーディオデータ配信センタ
１２２  データ検索処理部          １２３  オーディオデータＤＢ
１２４  データ配信部
【図１】
2005174378.tif 000003
【図２】
2005174378.tif 000004
【図３】
2005174378.tif 000005
【図４】
2005174378.tif 000006
【図５】
2005174378.tif 000007
【図６】
2005174378.tif 000008
【図７】
2005174378.tif 000009
【図８】
2005174378.tif 000010